(57)【特許請求の範囲】
【請求項１】
一対の板片の当接部にそれぞれ斜切縁を設け，該斜切縁を接着剤を介して当接させると共に，両者を接着することによりＶ字状の外装用コーナー部材を製造するための治具において，該治具は，上記一対の板片の内側面を載置するための逆Ｖ字状の一対の斜板と，該斜板の下部に設けられ上記一対の板片の先端部をそれぞれ支持するための支持片とを有していて，上記治具の内側頂部には，該治具と上記一対の板片とを複数段に段積みしたときに，一対の板片が形成する外側頂部との間に空間部を形成するための，内側凹部を有することを特徴とする外装用コーナー部材製造用の治具。
【請求項２】
請求項１において，上記治具の頂部は，該治具の上に上記一対の板片を載置したとき，上記一対の板片が形成する内側角部との間に空隙部を形成するための非角部を有することを特徴とする外装用コーナー部材製造用の治具。
【請求項３】
請求項１または２において，上記斜板は，上記一対の板片の内側面に接触する複数の凸部を有することを特徴とする外装用コーナー部材製造用の治具。
【請求項４】
請求項３において，上記複数の凸部は，治具の長手方向に沿って形成された突条片であることを特徴とする外装用コーナー部材製造用の治具。
【請求項５】
一対の板片の当接部にそれぞれ斜切縁を設け，該斜切縁を接着剤を介して当接させた状態でこれらを逆Ｖ字状の治具上に載置し，上記治具と一対の板片とは交互に複数段に段積みした状態で保持し，上記斜切縁を接着することによりＶ字状の外装用コーナー部材を複数個同時に製造する方法において，上記治具は，上記一対の板片の内側面を載置するための，逆Ｖ字状の一対の斜板と該斜板の下部に設けられた上記一対の板片の先
端部をそれぞれ支持するための支持片とを有していて，上記治具の内側頂部には，該治具と上記一対の板片とを複数段に段積みしたときに，一対の板片が形成する外側頂部との間に空間部を形成するための，内側凹部を有することを特徴とする外装用コーナー部材の製造方法。
【発明の詳細な説明】
【０００１】
【技術分野】
本発明は，建物のコーナー部に用いる外装用コーナー部材の製造方法及びそれに用いる治具に関する。
【０００２】
【従来技術】
外装用コーナー部材を製造するための治具としては，例えば実開平６−１５９４３号公報に示されたものがある。
後述する図６に示すごとく，上記外装用コーナー部材２は，一対の板片２１，２２の当接部２１０，２２０に斜切縁２１１，２２１を設け，該斜切縁２１１，２２１を接着剤を介して接着し，上記一対の板片２１，２２を略直角に組立形成したもので，断面Ｖ字状を有している。
そして，上記外装用コーナー部材２は，その外側面が多様な模様を有する意匠面２１５，２２５を形成している。また，上記外装用コーナー部材２は，柱や壁等のコーナー部分と接し，通常平面状を呈する内側面２１６，２２６を有している。
【０００３】
図１０に示すごとく，従来の外装用コーナー部材製造用の治具９は，一対の板片２１，２２を載置するための断面Ｖ字状のガイド板９１よりなると共に，両ガイド板９１の下縁部９１０を連設固定してなる断面Ｖ字状の治具主体と，該治具主体の上縁部に曲折形成した外側折曲部９２とからなるものがある。
【０００４】
上記外装用コーナー部材２を製造するにあたっては，図１０に示すごとく外装用の一対の板片２１，２２の当接部２１０，２２０にそれぞれ斜切縁２１１，２２１を向け，該斜切縁２１１，２２１を接着剤を介して当接させると共に両者を接着する。このとき，上記一対の板片２１，２２を直角状に接着するために，接着が完了するまでの間，一対の板片２１，２２をＶ字状の治具９内に保持する。
また，上記治具９は，接着の際に，斜切縁２１１，２２１に付与した接着剤が若干垂れ落ちるため，治具の下部にその接着剤を排出するための長穴９３が設けてある。
【０００５】
また，上記のようにして外装用コーナー部材２を製造する際には，上記一対の板片２１，２２の当接部２１０，２２０にズレが生じる場合がある。このようなズレを有したまま上記斜切縁２１１，２２１が接着されると，製造される外装用コーナー部材２は不良品となる。そのため，上記一対の板片２１，２２を治具９内に入れるときには，両者を治具９の上面９１１に沿って斜方向から上下に動かして，当接部２１０，２２０間の位置決めをする必要がある。
【０００６】
【解決しようとする課題】
しかしながら，上記従来の治具９の上面９１１は，外装用コーナー部材の意匠面２１５，２２５側と接している。そのため，上述したように当接部２１０，２２０に生じたズレを解消するために上記一対の板片２１，２２を動かしたり，一対の板片２１，２２をＶ字状に組み立て，仮固定した状態で治具９内に載置しようとすると，外装用コーナー部材の意匠面２１５，２２５と治具９の上面９１１とが摩擦して，上記意匠面２１５，２２５に傷が発生するおそれがあった。特に，上記治具９は金属製であり，一方一対の板片２１，２２は，例えば窯業系建築板の場合１枚の重さが１．０〜３．０ｋｇと比較的重い。そのため，上記摩擦力は大きくなり，外装用コーナー部材２にとって重要な意匠面が傷つきやすい。そして，このような意匠面に傷を有する外装用コーナー部材は不良品となり，破棄されていた。
【０００７】
本発明は，かかる従来の問題点に鑑みてなされたもので，意匠面への傷の発生を防止することができると共に，当接部の位置合わせ及び接着を素早くかつ確実に行うことができる外装用コーナー部材製造用の治具及び外装用コーナー部材の製造方法を提供しようとするものである。
【０００８】
【課題の解決手段】
第１の発明は，一対の板片の当接部にそれぞれ斜切縁を設け，該斜切縁を接着剤を介して当接させると共に，両者を接着することによりＶ字状の外装用コーナー部材を製造するための治具において，
該治具は，上記一対の板片の内側面を載置するための逆Ｖ字状の一対の斜板と，該斜板の下部に設けられ上記一対の板片の先端部をそれぞれ支持するための支持片とを有することを特徴とする外装用コーナー部材製造用の治具にある（請求項１）。
【０００９】
次に本発明の作用効果につき述べる。
本発明において，上記治具は，外装用コーナー部材を作製するための一対の板片の内側面を載置するためのもので，逆Ｖ字状の一対の斜板を有している。
そして，上記一対の板片を接着する際には，この板片の内側面をそれぞれ上記治具の上面と接するように載置する。そのため，上記一対の板片の意匠面は，治具の斜板とは接触しない。それ故，上記一対の板片をズレなく接着させるために当接部の位置合わせをしようとして板片を動かす場合には，板片の意匠面の側から確認しながら位置合わせを行うことができると共に，板片の内側面つまり外装用コーナー部材の内側面は治具と摩擦するが，上記板片の意匠面は治具と接触せず，傷が発生することはない。
【００１０】
また，上記治具は一対の板片の先端部を支持するための支持片を有している。そして，上記支持片は，上記一対の板片を治具に載置した時に，一対の板片の斜切縁が正しく当接するような位置に設けられている。
そのため，上記一対の板片を治具に載置した時には，当接部にはほとんどズレが発生することはない。そして，当接部にズレが発生したとしても，上記ズレは小さいものであるので，一対の板片を少し動かすことによって容易にズレを解消することができる。それ故，上記一対の板片における当接部の位置合わせを素早く行うことができる。
【００１１】
また，上記支持片は上記接着の間，上記一対の板片の斜切縁を正しい位置に当接させた状態を逆Ｖ字状にて維持する。
そのため，上記斜切縁の間の接着剤が固化し，当接部が完全に固着するまでの間，上記一対の板片を逆Ｖ字状に安定して保持することができる。
また，上記治具は，当接部を固着させる間，一対の板片の当接部を保持すると共に，安定な逆Ｖ字の状態にて設置される。
そのため，上記治具は，外部から振動を受けても横転することなく安定して上記一対の板片を保持することができる。
【００１２】
このように本発明によれば，意匠面への傷の発生を防止することができると共に，当接部の位置合わせ及び接着を素早くかつ確実に行うことができる外装用コーナー部材製造用の治具を提供することができる。
【００１３】
第２の発明は，一対の板片の当接部にそれぞれ斜切縁を設け，該斜切縁を接着剤を介して当接させた状態でこれらを逆Ｖ字状の治具上に載置し，上記治具と一対の板片とは交互に複数段に段積みした状態で保持し，上記斜切縁を接着することによりＶ字状の外装用コーナー部材を複数個同時に製造する方法において，
上記治具は，上記一対の板片の内側面を載置するための，逆Ｖ字状の一対の斜板と該斜板の下部に設けられた上記一対の板片の先端部をそれぞれ支持するための支持片とを有することを特徴とする外装用コーナー部材の製造方法にある（請求項６）。
【００１４】
本発明において，上記治具は，一対の板片の内側面を載置するための逆Ｖ字状の一対の斜板を有している。
そのため，上記一対の板片を治具の斜板上に載置する際には，上記一対の板片は意匠面側を治具に対して外側を向けて載置される。
上記治具と板片とを交互に段積みする際には，下から順に治具と板片とを交互に積み重ねていく。このとき，上記板片は常に意匠面側を治具に対して外側に向けて載置される。
【００１５】
そのため，上記一対の板片をズレなく接着させるために当接部の位置合わせをしようとして板片を動かしても，外装用コーナー部材の内側面は治具と摩擦するが，少なくとも上記板片の意匠面全体は治具と接触せず，意匠面に傷が発生することはない。
また，段積みする場合には，治具の上に一対の板片を載せ，さらにその上に治具を載せていく。このとき，板片の意匠面の上に治具が載置されることになるが，治具は意匠面上に静かに載せればよい。またこのとき，上記治具は，逆Ｖ字状にて段積みされる。逆Ｖ字の状態は安定性に優れており，段積み時に治具の内側頂部と一対の板片の外側頂部の中心を合わせることが容易である。そのため，治具を意匠面上において何度も動かすことはない。それ故，意匠面に損傷を生じることはない。
【００１６】
また，上記治具は外装用コーナー部材の先端部を支持するための支持片を有している。そのため，上記支持片は接着の間，上記一対の板片の斜切縁を正しい位置に当接させた状態を維持する。そして上記の段積み状態においても，上記支持片は該支持片が支持する一対の板片をそれぞれ支持している。
そのため，上記一対の板片をズレなく確実に接着させることが容易になると共に，当接部の接着剤が固化し当接部が完全に固着するまでの間，上記一対の板片を逆Ｖ字状に安定して保持することができる。
【００１７】
このように本発明によれば，意匠面への傷の発生を防止することができると共に，当接部の位置合わせ及び接着を素早くかつ確実に行うことができる外装用コーナー部材の製造方法を提供することができる。
【００１８】
【発明の実施の形態】
上記第１の発明（請求項１）においては，外装用コーナー部材の「Ｖ字状」は，通常は直角状であるが，外装用コーナー部材の用途によっては，例えば６０度〜１３５度の角度のものもある。それ故，逆Ｖ字状の一対の斜板は，作製しようとする外装用コーナー部材の用途に応じた角度を有するようにしておくことができる。
【００１９】
また，上記治具の頂部は，該治具の上に上記一対の板片を載置したとき，上記一対の板片が形成する内側角部との間に空隙部を形成するための非角部を有することが好ましい（請求項２）。
【００２０】
この場合には，上記空隙部が上記一対の板片における上記当接部付近の通気性を高める。そのため，一対の板片の斜切縁に塗布した接着剤が空気とよく接触し，その接着固化速度が大きくなる。それ故，当接部の固着に要する固着時間を短縮することができる。
さらに，この場合には，上記一対の板片が形成する内側角部と治具の頂部とは接触しない。そのため，当接部に塗布された接着剤が固化する前に自重により治具の頂部に垂れてきた場合にも，外装用コーナー部材と治具とが接着されてしまうことはない。
なお，上記内側角部は，後述する図４に示すごとく，内側面の角部分を示す。
また，上記非角部としては，図１に示すごとき，平山状の他，平坦状等がある。
【００２１】
また，上記斜板は，上記一対の板片の内側面に接触する複数の凸部を有することが好ましい（請求項３）。
この場合には，上記一対の板片と治具との接触面積を減らすことができるため，一対の板片と治具とがこすれて外装用コーナー部材の内側に傷が発生するおそれがない。
さらにこの場合には，上記治具のいわゆる断面係数を向上させることができ，治具の強度を高めることができる。
なお，上記凸部の高さは支持片の高さよりも低くなるように設けられる。
【００２２】
また，上記複数の凸部は，治具の長手方向に沿って形成された突条片であることが好ましい（請求項４）。
この場合には，上記のごとく，長手方向に設けた突条片によって，一対の板片と治具との接触面積を減らすことができると共に，治具の断面係数を向上させることができる。
【００２３】
また，上記治具の内側頂部には，該治具と上記一対の板片とを複数段に段積みしたときに，上記一対の板片が形成する外側頂部との間に空間部を形成するための，内側凹部を有することが好ましい（請求項５）。
この場合には，上記空間部が上記一対の板片における上記当接部付近の意匠面側の通気性を高める。そのため，一対の板片の斜切縁に塗布した接着剤が空気とよく接触し，その接着固化速度が大きくなる。
なお，上記外側頂部は，後述する図５に示すごとく，得ようとする外装用コーナー部材の外側面の角部分である。
【００２４】
次に，上記第２の発明（請求項６）において，上記治具の内側頂部には，該治具と上記一対の板片とを複数段に段積みしたときに，一対の板片が形成する外側頂部との間に空間部を形成するための，内側凹部を有することが好ましい（請求項７）。
この場合には，上記請求項５と同様の効果を得ることができる。
【００２５】
【実施例】
次に，図面を用いて本発明の実施例にかかる外装用コーナー部材の製造方法及び治具につき説明する。
（実施例１）
本例は，図１〜図６に示すごとく，図１に示す外装用コーナー部材製造用の治具１を用いて，図６に示す外装用コーナー部材２を作製した例を示す。
本例における外装用コーナー部材製造用の治具は，図１〜図４に示すごとく，一対の板片２１，２２の当接部２１０，２２０にそれぞれ斜切縁２１１，２２１を設け，該斜切縁２１１，２２１を接着剤を介して当接させると共に，両者を接着することによりＶ字状の外装用コーナー部材２を製造するための治具１である。
【００２６】
上記治具１は，一対の板片２１，２２の内側面２１６，２２６を載置するための，逆Ｖ字状の一対の斜板１１と該斜板の下部に設けられた上記一対の板片の先端部２１７，２２７をそれぞれ支持するための支持片１２とを有している。
また，上記斜板１１は，治具１の長手方向に沿って形成される複数の凸部としての突条片１３を有している。さらに，上記治具１は，その頂部１０に平山状の非角部１０１を有し，その内側頂部１００に内側凹部１０２を有している。
【００２７】
上記治具１は，アルミニウム合金製であり，図１及び図２に示すごとく，斜板の長さａ＝４７ｃｍ，斜板の幅ｂ＝６．５ｃｍ，支持片の高さｃ＝２．３ｃｍ，凸部の高さｄ＝１．３ｃｍ，斜板によって形成される内角Ｒ＝９０度である。
なお，本例においては，治具の寸法を上記のように規定しているが，本発明はこれらの数値に限定されるものではない。
【００２８】
また，図６に示すごとく，本例で製造しようとする外装用コーナー部材２は，一対の板片２１，２２をその斜切縁２１１，２２１において接着剤により接着してなるものである。また，板片２１と２２とは，直角状に接着されており，板片２１と板片２２とを当接させている部分が当接部２１０，２２０である。また，上記外装用コーナー部材は，意匠面２１５，２２５と内側面２１６，２２６を有している。また，上記外装用コーナー部材は木材チップとセメントを主材として製造された窯業系建築板から，後述のように作製したものである。
【００２９】
また，上記外装用コーナー部材２は，板片の働き長さｅ＝４５．５ｃｍ，板片の幅ｆ＝８．６ｃｍ，板片の厚さｇ＝１．６ｃｍ，板片２１，２２によって形成される内角ｒ＝９０度である。
なお，本例においては，外装用コーナー部材の寸法を上記のように規定しているが，本発明はこれらの数値に限定されるものではない。上記外装用コーナー部材としては上記の他に，例えば板片の働き長さｅ＝３０〜９０ｃｍ，板片の幅ｆ＝６．５ｃｍ〜１１．５ｃｍ，板片の厚さｇ＝１．２ｃｍ〜２．５ｃｍ，板片２１，２２によって形成される内角ｒ＝６０度〜１３５度の範囲のものがある。
また，上記板片の働き長さとは，実を有する窯業系建築板から板片を裁断した場合に，実の寸法を除いた働き幅のことをいう。
【００３０】
次に，上記治具１を用いて上記外装用コーナー部材２を製造する方法につき説明する。
図３に示すごとく，まず長尺状の窯業系建築板２０を準備する。この窯業系建築板２０を，その内側面２１６，２２６の中央部分で，角度９０度に切り取って，それぞれ４５度の斜面の斜切縁２１１，２２１を有する，一対の板片２１，２２とする。
【００３１】
次に，上記一対の板片２１，２２の斜切縁２１１，２２１に接着剤を付与し，一方の板片を他方へ直角状に折り曲げ，両斜切縁２１１，２２１を当接する。なお，上記窯業系建築板の意匠面２１５，２２５側には，両板片２１，２２を上記切り取り前の状態のままで位置合わせしておくために，接着テープ２８が仮貼着してある。
【００３２】
次に，図４に示すごとく，一対の板片２１，２２の両斜切縁２１１，２２１を接着剤を介して当接した状態で，これらを逆Ｖ字状に配置した上記治具１の上に載置する。このとき，上記一対の板片２１，２２の先端部２１７，２２７は，上記支持片１２にそれぞれ当接して，これによって支持されている。
【００３３】
また，上記一対の板片２１，２２は，その内側面２１６，２２６側を治具の斜板に向けて，該斜板１１に設けられた突条片１３によって支承されている。
また，治具１の頂部１０と板片２１，２２の内側角部２３との間には空隙部１８が形成されている。
【００３４】
次に図５に示すごとく，本例においては上記治具１と一対の板片２１，２２とを１ユニットとして，交互に段積みする。治具１と板片２１，２２とを段積みにする際には，治具１と板片２１，２２を下から順次積み重ねていく。このとき板片２１，２２の内側面２１６，２２６側を治具の斜板１１側に向けて順次積み重ねていく。そして，治具１と一対の板片２１，２２のユニットの上に別の治具を段積みする際には，治具の内側頂部１００と一対の板片２１，２２が形成する外側頂部２４の中心を合わせるように段積みしていく。
【００３５】
また，治具１は，内側頂部１００に内側凹部を有しているので，この段積み状態では，治具１の内側頂部１００と板片２１，２２の外側頂部２４の間に空間部１９が形成される。また，上述したごとく，治具の頂部１０と板片２１，２２の内側角部２３との間には空隙部１８が形成されている。したがって，図５に示すように，上記一対の板片２１，２２の当接部２１０，２２０付近は空隙部と空間部に挟まれることになる。
【００３６】
また，図５に示すごとく上記最下段の治具１は，基台３の上に載置される。そして，この基台３は嵌合凹部３５を有している。上記最下段の治具１の下端部１５は，この嵌合凹部３５と嵌合することにより，安定して基台３の上に載置されている。そのため，図５に示すごとく，上記のように複数段に段積みした状態でも，この段積み状態は安定に保持される。
【００３７】
上記治具１と一対の板片２１，２２とをこの段積み状態のまましばらく放置することにより，一対の板片２１，２２の斜切縁２１１，２２１に塗布した接着剤を完全に固化させる。そして，図６に示す外装用コーナー部材を製造する。
【００３８】
次に，本例の作用効果につき説明する。
本例においては，図４に示すごとく，上記治具１は，一対の板片２１，２２の内側面２１６，２２６を載置するための，逆Ｖ字状の一対の斜板１１と該斜板の下部に設けられた上記一対の板片の先端部２１７，２２７をそれぞれ支持するための支持片１２とを有している。
【００３９】
そのため，上記支持片１２は，一対の板片２１，２２の当接部２１０，２２０にほとんどズレを発生させることなく，一対の板片２１，２２をその先端部２１７，２２７にて支持することになる。
【００４０】
また，上記一対の板片は，内側面２１６，２２６側を治具１の斜板１１に向けて載置される。即ち，上記一対の板片２１，２２の意匠面２１５，２２５側は斜板１１の上面と接触することはない。そのため，上記一対の板片２１，２２を治具１に載置する際に，当接部２１０，２２０の位置合わせをしようとして板片２１，２２を動かしても，板片２１，２２の上面と意匠面２１５，２２５とがこすれることはない。それ故，板片２１，２２の意匠面２１５，２２５側に傷が生じることはない。
【００４１】
また，本例の治具１は，一対の板片２１，２２を保持すると共に，安定な逆Ｖ字の状態にて設置される。
そのため，上記治具１は，外部から振動を受けても横転することなく安定して上記一対の板片２１，２２を保持することができる。
【００４２】
また，本例の治具１は，斜板１１の上面に，斜板の長手方向に沿って形成された突条片１３を有している。そのため，上記一対の板片２１，２２の内側面２１６，２２６は，突条片１３とのみ接触することになるので，一対の斜板２１，２２と治具１との接触面積は減少する。それゆえ，上記のように板片２１，２２を動かして内側面２１６，２２６と治具１とがこすれても，内側面２１６，２２６側にもほとんど傷が生じることはない。
【００４３】
また，本例の治具１は非角部１０１を有している。そのため，治具１の頂部１０と板片２１，２２の内側角部２３との間には空隙部１８が形成される。この空隙部１８は当接部２１０，２２０の直下に形成され，付近の通気性を高める効果を有する。そのため，上記両斜切縁２１１，２２１の接着を速やかに行うことができる。
【００４４】
また，本例においては，上記治具と一対の板片２１，２２とを複数段に段積みした。このとき，上記治具は逆Ｖ字状にて段積みされる。この逆Ｖ字の状態は，図１０，図１１に示す従来例の治具におけるＶ字の状態よりも安定性において優れている。そのため，治具と一対の板片がぐらつくこともなく，段積み時に治具の内側頂部１００と一対の板片２１，２２が形成する外側頂部２４の中心を容易に合わせることができる。
【００４５】
また，この段積み状態では，上述したように，一対の板片２１，２２の当接部２１０，２２０付近は空隙部１８と空間部１９とに挟まれる。そのため，上記段積み状態時には，当接部付近の通気性は一層向上している。したがって，上記両斜切縁２１１，２２１の接着をさらに短時間で完了させることができる。
【００４６】
このように本例では，意匠面への傷の発生を防止することができると共に，当接部の位置合わせ及び接着を素早くかつ確実に行うことができる外装用コーナー部材製造用の治具及び外装用コーナー部材の製造方法を提供することができる。
【００４７】
（実施例２）
本例では，図７に示すごとく，斜板１１の上面に凸部のない治具４を用いて，外装用コーナー部材を作製した例を示す。
本例の治具４は，図７に示すごとく，斜板１１と一片の支持片１２を有している。そして，斜板１１の上面は平板状であり，実施例１のような凸部は有していない。
【００４８】
上記治具４を用いて，実施例１と同様にして図６に示す外装用コーナー部材２を作製する。
本例においても実施例１と同様の効果を得ることができる。即ち，意匠面への傷の発生を防止することができると共に，当接部の位置合わせ及び接着を素早くかつ確実に行うことができる外装用コーナー部材製造用の治具及び外装用コーナー部材の製造方法を提供することができる。
【００４９】
（実施例３）
本例では，図８に示すごとく，斜板の上面に円柱凸部１３５を有する治具５を用いて，外装用コーナー部材を作製した例を示す。
本例の治具５は，図８に示すごとく，斜板１１と一片の支持片１２を有している。また，上記斜板１１の上面には多数の円柱凸部１３５が設けられている。
【００５０】
そのため，図９に示すごとく，上記一対の板片２１，２２の内側面２１６，２２６を治具５の斜板１１に載置する場合には，上記板片２１，２２は，斜板１１の上面に設けられた複数の円柱凸部１３５によって支承される。それゆえ，上記内側面２１６，２２６と斜板１１との接触面積を大幅に少なくすることができる。したがって，この場合には，意匠面２１５，２２５のみならず，内側面２１６，２２６への傷の発生をも抑制することができる。
【００５１】
上記治具５を用いて，実施例１と同様にして図６に示す外装用コーナー部材２を作製する。
本例においても，実施例１と同様の効果を得ることができる。即ち，意匠面への傷の発生を防止することができると共に，当接部の位置合わせ及び接着を素早くかつ確実に行うことができる外装用コーナー部材製造用の治具及び外装用コーナー部材の製造方法を提供することができる。
【図面の簡単な説明】
【図１】実施例１にかかる外装用コーナー部材製造用の治具を示す側面図。
【図２】実施例１にかかる外装用コーナー部材製造用の治具の一部を示す斜視図。
【図３】実施例１にかかる一対の板片の説明図。
【図４】実施例１にかかる治具の上に一対の板片を載置した状態を示す説明図。
【図５】実施例１にかかる一対の板片と治具との段積み状態を示す説明図。
【図６】実施例１にかかる外装用コーナー部材を示す斜視図。
【図７】実施例２にかかる，（ａ）外装用コーナー部材製造用の治具を示す側面図，及び（ｂ）斜視図。
【図８】実施例３にかかる，（ａ）外装用コーナー部材製造用の治具を示す側面図，及び（ｂ）斜視図。
【図９】実施例３にかかる外装用コーナー部材の製造方法に関する説明図。
【図１０】従来例にかかる外装用コーナー部材の製造用の治具に関する説明図。
【図１１】従来例にかかる外装用コーナー部材の製造方法に関する説明図。
【符号の説明】
１，４，５．．．治具，
１１．．．斜板，
１２．．．支持片，
１３．．．突条部，
１３５．．．円柱凸部，
１０．．．頂部，
１００．．．内側頂部，
１０１．．．非角部，
１０２．．．内側凹部，
１８．．．空隙部，
１９．．．空間部，
２．．．外装用コーナー部材，
２１，２２．．．板片，
２１１，２２１．．．斜切縁，
２１５，２２５．．．意匠面，
２１６，２２６．．．内側面，
２１７，２２７．．．先端部，
２１０，２２０．．．当接部，
３．．．基台，
【図１】
0004480925.tif 000002
【図２】
0004480925.tif 000003
【図３】
0004480925.tif 000004
【図４】
0004480925.tif 000005
【図５】
0004480925.tif 000006
【図６】
0004480925.tif 000007
【図７】
0004480925.tif 000008
【図８】
0004480925.tif 000009
【図９】
0004480925.tif 000010
【図１０】
0004480925.tif 000011
【図１１】
0004480925.tif 000012